【事件の表示】
　特許第３０２３４９７号「パチンコ遊技機」の請求項１に係る特許に対する特許異議の申立てについて、次のとおり決定する。
【結　論】
　訂正を認める。
　特許第３０２３４９７号の請求項１に係る特許を維持する。
【理　由】
１．手続の経緯
　特許第３０２３４９７号の請求項１に係る発明は、平成７年４月１８日の出願であって、平成１２年１月２１日にその発明についての特許の設定登録がなされ、その後、その特許について異議申立人町田彬より特許異議の申立てがなされ、取消理由を通知したところ、その指定期間内である平成１３年１月２４日に特許異議意見書と共に訂正請求書が提出された。
　　　　
２．訂正請求について
２-1．請求の趣旨及び訂正事項
　訂正請求の趣旨は、特許第３０２３４９７号の明細書を訂正請求書に添付した訂正明細書のとおり訂正することを求めるものであり、その訂正事項は下記の（イ）ないし（ハ）のとおりである。
（イ）特許請求の範囲の請求項１に記載の「球の１／３位で突出して」を、「パチンコ球の直径の１／３程度突出して」と訂正する。
（ロ）特許明細書の段落【０００６】に記載の「球の１／３位で突出して」を、「パチンコ球の直径の１／３程度突出して」と訂正する。
（ハ）特許明細書の段落【００１１】に記載の「球の１／３位で突出して」を、「パチンコ球の直径の１／３程度突出して」と訂正する。
２-2．訂正の適否について
２-2-1．訂正の目的の適否、新規事項の有無及び拡張・変更の存否
　訂正事項（イ）ないし（ハ）は、上記取消理由の、「請求項１の『開閉弁（４３）の閉鎖時には、その前端部を送出路（１９）の出口下面に
球の１／３位で突出して
　また、訂正事項（イ）ないし（ハ）は、実質上特許請求の範囲を拡張し、又は変更するものでもない。
２-2-2．むすび
　以上のとおりであるから、上記訂正は、特許法等の一部を改正する法律（平成６年法律第１１６号）附則第６条第１項の規定によりなお従前の例によるとされる、特許法第１２０条の４第３項において準用する平成６年法律第１１６号による改正前の特許法第１２６条第１項ただし書及び第２項の規定に適合するので、当該訂正を認める。
　
３．特許異議の申立てについて
３-1．異議申立ての理由の概要
　異議申立人は、下記の証拠方法を提出し、本件特許は次の理由により取り消すべきものであると主張している。
（１）本件請求項１に係る発明は、甲第１号証の１及び甲第２号証に記載された発明に基づいて、または甲第３号証及び甲第２号証に記載された発明に基づいて、当業者が容易に発明をすることができたものであり、特許法第２９条第２項の規定に該当するものである。
（２）本件請求項１に係る発明は、特許請求の範囲に記載されている「球の１／３位で突出して球止めし得る」の「球の１／３位」が、どのような範囲であるか不明確であるから、特許請求の範囲の記載が不明瞭であり、特許法第３６条第６項第２号に違反している。
　　　　　　　　　　　　　　　　　記
　甲第１号証の１：特開平６−３３５５６７号公報
　甲第１号証の２：特開平６−３３５５６７号公報に基づく図面
　甲第２号証：実公平６−３０２２２号公報
　甲第３号証：特開平５−３３７２３５号公報
３-2．本件発明
　上記２-2．で示したように上記訂正が認められるから、本件請求項１に係る発明（以下、「本件発明」という）は、訂正明細書の特許請求の範囲の請求項１に記載されたとおり、
　「【請求項１】　縦向き状態でパチンコ球を利用したゲームを展開し得ると共に賞球の払出しをなし得る遊技機にあって、
　前枠(２)裏側に装備された機構セット盤(10)の本体(11)に賞球貯留供給経路(16)が構成され、この賞球貯留供給経路(16)の送出路(19)に対して球通路(23)を有する賞球払出し装置(21)が着脱可能に整合セットされると共に、送出路(19)と球通路(23)の対応部位に球止め部材(41)を備え、
　前記球止め部材(41)では、板バネ材より成形されて、支持片(42)，開閉弁(43)および係止片(44)を形成し、支持片(42)の下端を前記機構セット盤(10)の本体(11)のボス部(45)にビス止めしたもとで、係止片(44)が前記賞球払出し装置(21)のケース体(22)に係止または解放されることに伴い、開閉弁(43)が本体(11)の挿通口(46)から前記送出路(19)の出口下方に対して出没可能にして、賞球払出し装置(21)の着脱に合わせて賞球の通出可否を規制し得るようにすると共に、
　前記係止片(44)がケース体(22)から解放された開閉弁(43)の閉鎖時には、その前端部を送出路(19)の出口下面にパチンコ球の直径の１／３程度突出して球止めし得るよう構成した
ことを特徴とするパチンコ遊技機。」
である。
３-3．当審の判断
３-3-1．特許法第２９条第２項違反について
３-3-1-1．甲号各証の記載事項
　甲第１号証の１には、
　ａ．「本発明は、玉貸情報が記録された記録媒体が投入された状態で遊技者の操作により所定数の遊技玉を打球供給皿に払い出す弾球遊技機に関するものである。」（１欄１３〜１６行）、
　ｂ．「前記ガラス扉枠５の後方であって前面枠２の裏面には、遊技盤３０が着脱自在に取り付けられている。この遊技盤３０には、打玉を誘導する誘導レール３１がほぼ円状に設けられ、この誘導レール３１に囲まれる内側範囲が遊技領域３２を構成し、この遊技領域３２に可変表示装置や可変入賞球装置及び入賞口等の遊技装置が配置されるものである。」（３欄２３〜２９行）、
　ｃ．「ところで、遊技盤３０の裏面には、図３に示すように、遊技盤３０の表面に設けられる前記の各種の入賞口又は入賞球装置に入賞した入賞玉を所定の入賞径路に沿って導く入賞玉集合カバー体４５が設けられているが、その入賞玉集合カバー体４５に導かれる入賞玉のうち、前記開閉板３６に入賞した入賞玉は、相対的に多い景品玉数（例えば、１５個）を払い出すように制御され、開閉板３６以外の入賞口に入賞した入賞玉は、相対的に少ない景品玉数（例えば、５個）を払い出すように制御される。」（４欄３５〜４４行）、
　ｄ．「機構板６０は、主として景品玉を貯留する玉タンク６５と該玉タンク６５に貯留された景品玉を下流側に整列しながら誘導する玉整列レール６９とが設けられる上部ベースユニット６１と、主として入賞に基づく景品玉を払い出す景品玉払出装置９７が設けられる中間ベースユニット６２と、主として遊技盤３０に打ち込まれた入賞を含む打玉を処理する処理機構が設けられる下部ベースユニット６３と、に分割形成したものを組み付けて構成される。」（５欄３６〜４４行）、
　ｅ．「中間ベースユニット６２には、その上部に通路体８４が止着され、該通路体８４の下方に景品玉払出装置９７が固着される。より詳細に説明すると、通路体８４は、前記カーブ樋７４によって流下方向を左右に変換された２列の景品玉を流下させる景品玉通路８６ａ，８６ｂを有し、その景品玉通路８６ａ，８６ｂの上流側に玉検出センサ８７ａ，８７ｂが臨むようになっている。」（８欄１３〜２０行）、
　ｆ．「通路体８４の下方には、玉止め装置９０が設けられている。この玉止め装置９０は、図６に示すように、支軸９３によって揺動自在に軸支され且つその先端のストッパ一部９１ａが穴９２を介して景品玉通路８６ａ，８６ｂに出没するストッパー片９１と、該ストッパー片９１の上部後方に形成される係合部９４と係合する作動ピン９５と、該作動ピン９５に周設されるスプリング９６とから構成され、作動ピン９５が上下方向にスライド自在に支持されている。しかして、景品玉払出装置９７が正常な状態で装着された通常の使用状態においては、図６（Ａ）に示すように、作動ビン９５の下端が景品玉払出装置９７のケース９８に当接してスプリング９６の付勢力に抗して押し上げられた作動ピン９５の中程と係合部９４とが係合してストッパー片９１を景品玉通路８６ａ，８６ｂから退避させる方向に回動させているので、景品玉通路８６ａ，８６ｂを流下する景品玉は、下流側の景品玉払出装置９７に供給される。一方、景品玉払出装置９７が逆方向に装着された状態では、図６（Ｂ）に示すように、作動ピン９５の下端がケース９８に形成される穴９９に落ち込むので、作動ピン９５がスプリング９６の付勢力により下方に移動するので、作動ピン９５の中程と係合部９４との係合状態が解除されるため、ストッパー片９１のストッパ一部９１ａが穴９２から景品玉通路８６ａ，８６ｂに突出するようになり、これがため、景品玉通路８６ａ，８６ｂを流下する景品玉は、下流側の景品玉払出装置９７に供給されることはない。このように、玉止め装置９０は、景品玉払出装置９７に景品玉を供給したり、あるいはその供給を停止したりするものであるが、例えば、景品玉払出装置９７が故障したときに、景品玉払出装置９７を取り外すことにより自動的に景品玉の流下を停止し、従来のように、すべての景品玉の玉抜き操作を終了してからでないと景品玉払出装置を取り外すことができないものに比較して、極めて簡単且つ迅速に景品玉払出装置９７を取り外すことができる。」（８欄４４行〜９欄２８行）、
　ｇ．第４図には、「玉タンク６５、玉整列レール６９、カーブ樋７４及び景品玉通路８６ａ，８６ｂを有する通路体８４により、景品玉貯留供給経路が形成されていること。」が記載されていると認める。
　そして、上記ｆの記載によれば、景品玉払出装置９７のケース９８を取り外した場合には、作動ピン９５がスプリング９６の付勢力により下方に移動し、作動ピン９５の中程と係合部９４との係合状態が解除されるため、ストッパー片９１のストッパー部９１ａが穴９２から景品玉通路８６ａ，８６ｂに突出するようになり、このストッパー部９１ａによって自動的に景品玉の流下を停止し、球止めするということが示唆されていると認められる。
　よって、以上のａ〜ｇの記載及び図１、３〜６の記載によれば、甲第１号証の１には、
　「縦向き状態でパチンコ球を利用したゲームを展開し得ると共に景品玉の払出しをなし得る遊技機にあって、
　前面枠２裏側に装備された機構盤６０に景品玉貯留供給経路が構成され、この景品玉貯留供給経路の通路体８４の景品玉通路８６ａ，８６ｂの下端に対して景品玉払出装置９７が着脱可能にセットされると共に、通路体８４の下方に球止め装置９０を備え、
　前記球止め装置９０は、支軸９３によって揺動自在に軸支され且つその先端のストッパー部９１ａが穴９２を介して景品玉通路８６ａ，８６ｂに出没するストッパー片９１と、該ストッパー片９１の上部後方に形成される係合部９４と係合する作動ピン９５と、該作動ピン９５に周設されるスプリング９６とからなり、作動ピン９５が上下方向にスライド自在に支持されてなり、作動ピン９５が前記景品玉払出装置９７のケース９８に当接または解放されることに伴い、上下動し、ストッパー片９１のストッパー部９１ａが本体の穴９２から前記景品玉通路８６ａ，８６ｂに出没可能とし、景品玉払出装置９７の着脱に合わせて景品玉の流下を可能としたり、流下を停止したりし得るようし、
　景品玉払出装置９７のケース９８の取り外しにより、作動ピン９５が下降し、係合部９４の係合状態が解除され、ストッパー片９１のストッパ一部９１ａが景品玉通路８６ａ，８６ｂに突出し、球止めし得るように構成したパチンコ遊技機。」という発明が記載されていると認められる。
　甲第２号証には、
　ａ．「この考案は、パチンコ機における賞球流出規制装置にかかり、……賞球の機外への零れ出しを制止するための賞球流出規制装置に関する。」（２頁１欄９〜１４行）、
　ｂ．「球止め板36は、球出口14から零れ出る賞球を直接当て止めるためのもので、その下端両側に形成された軸支片37と、垂直壁部33b の内側に形成された軸支片35との間に抜脱自在に横通された支軸38に対し、前後方向へ傾動変化自在に支持されており、そして付勢手段39（図示のねじりばねを図示する）を利用して常には前向き起立方向へ付勢されて、球出口14に対する近接傾斜状態と、離隔起立状態とに傾動変化される。なお球止め板36は、その両側に突出された係止片40を垂直壁部33b に係止して起立状態に保持され、その上端が球出口14の前方において出口14b の下段部位に位置される。
前述のように構成された本例の賞球流出規制装置では、支持板４の開閉状態（球出口14に対する球通入具15の遠近方向への変移）に関連して、昇降規制部材21が球通入具15の入口15a に対し昇降変位し得、また球受け部材33の球止め板36が起倒方向へ傾動変化し得、これに基いて賞球の流通状態の規制及び賞球の機外への飛散を防止し得る。」（４頁６欄７〜２４行及び第２、４、６図）、
　ｃ．「球止め板36についてはその球止め位置を球出口14の前方において前傾起立状態としてもよく、また第９図に例示されるように適度の可撓性を有する軟質合成樹脂素材より成形し、その内側の薄肉板ばね状の付勢手段43を利用して起立状態と傾倒状態とに変化し得るものとすることも可能である。」（５頁８欄１１〜１６行及び第９図）と記載されている。
　甲第３号証には、
　ａ．「本発明は、入賞口に入賞してセーフ球となった球を１個宛流下制御するセーフ球処理ユニットを裏機構盤に備えたパチンコ機に関するものである。」（１欄２３〜２６行）、
　ｂ．「図１はパチンコ機１の背面図であり、前面枠２の裏側に裏機構盤３を設け、該裏機構盤３にパチンコ機１を処理する各種機構体や制御基盤４…等を装着してある。
【０００７】裏機構盤３は、ほぼ中央に開□部５を開設した合成樹脂製の基枠体６と、該基枠体６の所定部分に取り付けた各種ユニット化した機構体とから構成され、基枠体６には各機構体を着脱可能な状態で装着するために係止爪や嵌合凹部を形成するとともに球の流路等も形成してある。
【０００８】機構体には、球を貯留する球タンク７、該球タンク７から球を整列しながら導出する球導出樋８、該球導出樋８により導出した球を所定数流下する球排出機構部９、該球排出機構部９が流下した球の流路を切り換える流路切換機構部１０などの他に、基枠体６の開口部５の下方の遊技盤側に設けた入賞球集合樋１１で集めたセーフ球を検出して１個宛流下制御するセーフ球処理ユニット１２などの球処理ユニットなどがある。」（２欄３４行〜３欄１行）、
　ｃ．「入賞球集合樋１１は、図３に示すように、セーフ球をほぼ中央に流下させる傾斜底面１４ａ，１４ｂを左右に有し、一方の傾斜底面１４ａをそのまま他方の傾斜底面１４ｂの下方まで延設するとともに傾斜下端部分を蛇行させてセーフ球流路１５を形成し、このセーフ球流路１５を流下する間にセーフ球を一列一段に整列できるように構成し、セーフ球流路１５の流下端の出口１６からセーフ球処理ユニット１２にセーフ球を流下する。そして、セーフ球流路１５の出口部分にセーフ球の流下を許容する第１状態とセーフ球の流下を停止する第２状態とに変換可能な球止め部材１７を設ける。」（３欄２０〜３０行）、
　ｄ．「セーフ球処理ユニット１２を上記嵌合凹部２７内に嵌合すると、セーフ球流下路２２の入口が入賞球集合樋１１のセーフ球流路１５の出口１６に正しく連通する所定位置にセットすることができ、」（４欄４〜８行）、
　ｅ．「球止め部材１７は、図７に示すように、一端に形成した円筒空部状の枢支部３３を形成し、他端には棒状の操作部３４を枢支部３３と同じ方向に突設するとともに略円弧状の球止め壁部３５を下向きに形成し、該球止め壁部３５と操作部３４との間に下面が傾斜した壁状の検知部３６を形成してなる。」（４欄２３〜２８行）、
　ｆ．「この様にして球止め部材１７を入賞球集合樋１１に装着すると、球止め部材１７は、コイルスプリング４０の付勢力により球止め壁部３５が第１開口部３７からセーフ球流路１５内に進入するとともに検知部３６が第２開口部３８から嵌合凹部２７内に進入する方向に付勢されるが、嵌合凹部２７内にセーフ球処理ユニット１２が装着された状態では、図６に示すように、検知部３６が第２開口部３８から嵌合凹部２７内に進入しようとしてもセーフ球処理ユニット１２のユニットケース２１に進入を阻止されて十分に進入できないで停止する。したがって、この状態では球止め壁部３５が第１開口部３７からセーフ球流路１５内に十分に進入できないで停止する状態、即ち、球止め壁部３５がセーフ球流路１５内のセーフ球の流下を許容する第１状態となる。
【００１８】一方、セーフ球処理ユニット１２を嵌合凹部２７から引き抜くと、球止め部材１７の検知部３６がユニットケース２１から外れるので、コイルスプリング４０の付勢力により球止め部材１７が枢支部３３を中心にして回動し、図４に示すように、検知部３６が第２開口部３８から嵌合凹部２７内に進入するとともに球止め壁部３５が第１開口部３７からセーフ球流路１５内に十分に進入する。そして、球止め部材１７の球止め壁部３５は、セーフ球流路１５内の最先のセーフ球に係止する位置に配設されている。したがって、セーフ球処理ユニット１２を嵌合凹部２７から引き抜くと、球止め壁部３５がセーフ球流路１５内のセーフ球の流下を停止する第２状態に変換する。そして、セーフ球処理ユニット１２に形成したセーフ球流下路２２の入口は、球止め壁部３５に係止したセーフ球の１つ先（下流側）のセーフ球を保持し得る位置で入賞球集合樋１１のセーフ球流路１５から離脱する位置に予め設定してあり、図面に示す実施例では入口をセーフ球流路１５の出口１６側に少し突出させてある。」（４欄４４行〜５欄２６行）、が記載されている。
　以上のａ〜ｆの記載及び図１〜４、６、７の記載によれば、甲第３号証には、
　「縦向き状態でパチンコ球を利用したゲームを展開し得ると共に賞球の払出しをなし得る遊技機にあって、
　前面枠２の裏側に装備された裏機構盤３の機枠体６の嵌合凹部２７に、開口部５の下方の遊技盤側に設けた入賞球集合樋１１で集めたセーフ球を検出して１個宛流下制御するセーフ球処理ユニット１２をセットできるように設け、セーフ球処理ユニット１２を嵌合凹部２７内に嵌合すると、セーフ球流下路２２の入口が入賞球集合樋１１のセーフ球流路１５の出口１６に正しく連通する所定位置に着脱自在に整合セットされると共に、セーフ球流路１５の出口部分にセーフ球の流下を許容する第１状態とセーフ球の流下を停止する第２状態とに変換可能な球止め部材１７を設け、
　前記球止め部材１７は、一端に枢支部３３を形成し、他端には球止め壁部３５を下向きに形成し、該球止め壁部３５と枢支部３３との間に下面が壁状の検知部３６を形成してなり、セーフ球処理ユニット１２を嵌合凹部２７から引き抜くと、球止め部材１７の検知部３６がユニットケース２１から外れ、コイルスプリング４０の付勢力により球止め部材１７が枢支部３３を中心にして回動し、検知部３６が第２開口部３８から嵌合凹部２７内に進入するとともに球止め壁部３５が第１開口部３７からセーフ球流路１５内に進入し、セーフ球流路１５内の最先のセーフ球に係止し、セーフ球の流下を停止する第２状態に変換し得るよう構成したパチンコ遊技機。」という発明が記載されていると認められる。
３-3-1-2．対比・判断 
　本件発明と甲第１号証の１記載の発明とを対比すると、
　甲第１号証の１記載の発明の「景品玉」が本件発明の「賞球」に相当し、同様に、「前面枠２」が「前枠」に、「機構盤６０」が「機構セット盤」に、「景品玉貯留供給経路」が「賞球貯留供給経路」に、「景品玉通路８６ａ，８６ｂ」が「送出路」に、「景品玉払出装置９７」が「賞球払出し装置」に、「球止め装置９０」が「球止め部材」に、「ケース９８」が「ケース体」に、「当接」が「係止」に、「流下を可能としたり、流下を停止したりし」が「通出可否を規制し」にそれぞれ相当し、また、甲第１号証の１記載の発明においても、景品玉払出装置９７を装着する際には、景品玉払出装置９７の玉通路と景品玉通路８６ａ，８６ｂを整合してセットすることは、自明の事柄にすぎないから、
　本件発明と甲第１号証の１記載の発明とは、
　「縦向き状態でパチンコ球を利用したゲームを展開し得ると共に賞球の払出しをなし得る遊技機にあって、
　前枠裏側に装備された機構セット盤に賞球貯留供給経路が構成され、この賞球貯留供給経路の送出路に対して球通路を有する賞球払出し装置が着脱可能に整合セットされると共に、球止め部材を備え、
　前記球止め部材は、賞球払出し装置の着脱に合わせて賞球の通出可否を規制し得るようにしたパチンコ遊技機。」である点で一致しているが、以下の点で相違している。
（１）本件発明は、送出路と球通路の対応部位に球止め部材を備え、該球止め部材は、板バネ材より成形されて、支持片，開閉弁および係止片を形成し、支持片の下端を機構セット盤の本体のボス部にビス止めしたもので、係止片が賞球払出し装置のケース体に係止または解放されることに伴い、開閉弁が本体の挿通口から送出路の出口下方に対して出没可能にしているのに対して、甲第１号証の１記載の発明は、通路体の下方に球止め部材を備え、該球止め部材は、支軸によって揺動自在に軸支され且つその先端のストッパ一部が穴を介して送出路に出没するストッパー片と、該ストッパー片の上部後方に形成される係合部と係合する作動ピンと、該作動ピンに周設されるスプリングとからなり、作動ピンが賞球払出し装置のケース体に係止または解放されることに伴い、上下動し、ストッパー片のストッパー部が本体の穴から送出路に出没可能にしている点。
（２）本件発明は、係止片がケース体から開放された開閉弁の閉鎖時には、その前端部を送出路の出口下面にパチンコ球の直径の１／３程度突出して球止めするようにしているのに対して、甲第１号証の１記載の発明は、ケース体の取り外しにより、作動ピンが下降し、係合部の係合状態が解除され、ストッパー片のストッパ一部が送出路に突出し、球止めするようにしている点。
　そこで、相違点（１）について検討すると、
　甲第２号証記載の発明の球止め板は、相違点（１）における本件発明の球止め部材とは、その用途が相違すると共に、甲第２号証には、パチンコ遊技機における球出口から賞球が機外に零れ出ることを防止するため、賞球を直接当て止めるための球止め板を板バネ状に付勢する軟質合成樹脂素材より成形することが記載されているが、「支持片，開閉弁および係止片を形成」する点及び「支持片の下端を機構セット盤の本体のボス部にビス止めしたもとで、係止片が賞球払出し装置のケース体に係止または解放されることに伴い、開閉弁が本体の挿通口から前記送出路の出口下方に対して出没可能に」する、本件発明の構成は開示されていない。
　また、甲第３号証記載の発明は、セーフ球処理ユニットの嵌脱に応じて、セーフ球流路の出口部分にセーフ球の流下を許容する第１状態とセーフ球の流下を停止する第２状態とに変換可能な球止め部材を設けたものであり、本件発明が、球止め部材を賞球貯留供給経路の送出路と賞球払出し装置の球通路の対応部位に設けたものとは、球止め部材の設置個所が相違しており、しかも、甲第３号証記載の発明の球止め部材は、「板バネ材より成形されて、支持片，開閉弁および係止片を形成し、支持片の下端を機構セット盤の本体のボス部にビス止めしたもとで、係止片が賞球払出し装置のケース体に係止または解放されることに伴い、開閉弁が本体の挿通口から送出路の出口下方に対して出没可能にし」ている、本件発明の球止め部材とは、相違している。
　そして、本件発明は、相違点（１）における事項を構成要件とすることにより、球止め部材４１は板バネ材を（実施例記載の如く）Ｌ字形に折曲げ成形するだけで（製造することができるもので）あるから簡単かつ安価に製作し得るうえに、機構セット盤１０にビス止めするだけで簡単に配設し得るという効果を奏することは明らかである。
　そうすると、上記相違点（２）について検討する迄もなく、本件発明は、甲第１号証の１及び甲第２号証記載の発明に基いて、または甲第３号証及び甲第２号証記載の発明に基いて、当業者が容易に発明をすることができたものとすることができないばかりでなく、甲第１号証の１〜甲第３号証記載の発明に基いて当業者が容易に発明をすることができたものとすることもできない。
３-3-2．特許法第３６条第６項違反について
　異議申立人が主張している異議申立ての理由（２）の特許法第３６条第６項第２号の違反については、上記２-2-1．で述べたように本件特許明細書が訂正され、その結果、該異議申立ての理由は解消された。
３-4．むすび
  以上のとおりであるから、特許異議の申立ての理由及び証拠方法によっては、本件発明についての特許を取り消すことはできない。
　また、他に本件発明についての特許を取り消すべき理由を発見しない。
　したがって、本件発明についての特許は拒絶の査定をしなければならない特許出願に対してされたものと認めない。
　よって、特許法等の一部を改正する法律（平成６年法律第１１６号）附則第１４条の規定に基づく、特許法等の一部を改正する法律の施行に伴う経過措置を定める政令（平成７年政令第２０５号）第４条第２項の規定により、結論のとおり決定する。
【異議決定日】
平成１３年６月１日（２００１．６．１）
【訂正の要旨】
　特許第３０２３４９７号発明の明細書を本件訂正請求書に添付した訂正明細書のとおりに、すなわち、明りょうでない記載の釈明を目的として下記（ａ）ないし（ｃ）のとおりに訂正する。
（ａ）特許明細書の特許請求の範囲の請求項１に記載の「球の１／３位で突出して」を、「パチンコ球の直径の１／３程度突出して」と訂正する。
（ｂ）特許明細書の段落【０００６】に記載の「球の１／３位で突出して」を、「パチンコ球の直径の１／３程度突出して」と訂正する。
（ｃ）特許明細書の段落【００１１】に記載の「球の１／３位で突出して」を、「パチンコ球の直径の１／３程度突出して」と訂正する。
（５４）【発明の名称】
パチンコ遊技機
（５７）【特許請求の範囲】
　【請求項１】　縦向き状態でパチンコ球を利用したゲームを展開し得ると共に賞球の払出しをなし得る遊技機にあって、
　前枠（２）裏側に装備された機構セット盤（１０）の本体（１１）に賞球貯留供給経路（１６）が構成され、この賞球貯留供給経路（１６）の送出路（１９）に対して球通路（２３）を有する賞球払出し装置（２１）が着脱可能に整合セットされると共に、送出路（１９）と球通路（２３）の対応部位に球止め部材（４１）を備え、
　前記球止め部材（４１）では、板バネ材よリ成形されて、支持片（４２），開閉弁（４３）および係止片（４４）を形成し、支持片（４２）の下端を前記機構セット盤（１０）の本体（１１）のボス部（４５）にビス止めしたもとで、係止片（４４）が前記賞球払出し装置（２１）のケース体（２２）に係止または解放されることに伴い、開閉弁（４３）が本体（１１）の挿通口（４６）から前記送出路（１９）の出口下方に対して出没可能にして、賞球払出し装置（２１）の着脱に合わせて賞球の通出可否を規制し得るようにすると共に、
　前記係止片（４４）がケース体（２２）から解放された開閉弁（４３）の閉鎖時には、その前端部を送出路（１９）の出口下面に
パチンコ
直径の
程度
ことを特徴とするパチンコ遊技機。
【発明の詳細な説明】
　【０００１】
　【産業上の利用分野】
　この発明は、遊技媒体と賞球媒体に共通なパチンコ球を使用し、裏側の賞球貯留供給経路の途上で賞球を通出阻止（球止め）し得るようにしたパチンコ遊技機に関するものである。
　【０００２】
　【従来技術】
　この種の遊技機に代表されるパチンコ機やアレンジボール機では、遊技に供された実施状態において、機外の補給装置から定期的に投入されるパチンコ球を賞球として裏側の賞球貯留供給経路の球タンク内に受入れて、以降整流樋から変向送出路そして最下端の賞球払出し装置の球ケースまたは球通路に至って通人収容している。そして、ゲーム中に発生したセーフ球または入賞成立に対して賞球払出し装置から所定数単位の賞球を払出して、機前側の上，下の球皿側へ排出するようになっており、この一方で貯留賞球の減少に伴い前記補給装置により定量のパチンコ球が補充投入されるようになっている。従ってこのような遊技機においては、賞球貯留供給経路の点検や修理、特に賞球払出し装置の取外し点検や新旧交換に際しては、同経路内の賞球を所要部位で一時的に球止め（通出阻止）し得ることが望まれている。
　【０００３】
　【発明が解決しようとする課題】
　そこで従来のこの種遊技機にあっては、賞球の球止めに係る一般的な技術として、前記賞球樋の下流部上方に鈎形状をなす回転式の制止部材が取着されており、賞球払出し装置の取外しに先立つ球止め時には、この制止部材を通常の非球止め位置（解放位置）から整流樋側の球止め位置（拘束位置）に反転変向させて、その爪部で整流路内の賞球を受止め、球止め位置から上流の球タンクに至る賞球分を通出阻止し得るようになっている。しかしこのような球止め技術では、制止部材の球止め位置から下流に亘る賞球を通出阻止し得ないために、賞球払出し装置の取外し時においては、相当数をやむなく放出しなければならない。また、点検，修理済みの賞球払出し装置の組付けセット後において、賞球の球詰め，球切り状態が未だ不充分である場合には、同装置の再度の取外し点検に伴い相当数の賞球を放出しなければならなくなってしまい、装置の点検，交換作業が案外煩わしくなっている。
　【０００４】
　また前述のように、賞球貯留供給経路内の貯留賞球が賞球払出し装置の取外しの都度やむなく放出されることは、遊技機１台毎の賞球貯留状態において、前記補給装置による投入個数と、入賞に対する正規の払出し個数と、残存個数との関係に大幅な誤差を生ずることになる。これに関連して遊技店内の制御部では、１台毎の賞球状況や誤差を把握し得ないまま当日分の球稼動状態を管理し続けることになり、有効正味投入データとして修正入力することが難しくまた煩わしい状況のもとで、遊技店の営業・稼動において不都合な事態を招いていた。
　【０００５】
　【発明の目的】
　本発明は、前述した課題を解決するべく新規に提案されたものであって、機裏側の賞球貯留供給経路の下流通路と賞球払出し装置の球通路との対応部位に球止め手段を装備して、賞球払出し装置の組外し（取外し）時に賞球貯留供給経路内の賞球を下流通路出口で停止して通出阻止し得るようにしたパチンコ遊技機を提供することを目的とする。
　【０００６】
　【課題を解決するための手段】
　前述した課題を解決し、所期の目的を好適に達成するため、本発明に係るパチンコ遊技機は、
　縦向き状態でパチンコ球を利用したゲームを展開し得ると共に賞球の払出しをなし得る遊技機にあって、
　前枠裏側に装備された機構セット盤の本体に賞球貯留供給経路が構成され、この賞球貯留供給経路の送出路に対して球通路を有する賞球払出し装置が着脱可能に整合セットされると共に、送出路と球通路の対応部位に球止め部材を備え、
　前記球止め部材では、板バネ材より成形されて、支持片，開閉弁および係止片を形成し、支持片の下端を前記機構セット盤の本体のボス部にビス止めしたもとで、係止片が前記賞球払出し装置のケース体に係止または解放されることに伴い、開閉弁が本体の挿通口から前記送出路の出口下方に対して出没可能にして、賞球払出し装置の着脱に合わせて賞球の通出可否を規制し得るようにすると共に、前記係止片がケース体から解放された開閉弁の閉鎖時には、その前端部を送出路の出口下面に
パチンコ
直径の
程度
　【０００７】
　【作用】
　遊技機の裏側において、賞球貯留供給経路における送出路と、上球皿等へ連通した主排出路の上端部との間に、賞球払出し装置が着脱可能に整合セットされる。この賞球払出し装置の球通路と送出路との対応部位に配設される球止め部材は、弾性変形可能な板バネ材より成形され、該賞球払出し装置を整合セットした際には、該装置のケース体が係止片に係止することでその開閉弁を送出路の出口部に対して開放変位させて、賞球の通出を許容することができる。また、賞球払出し装置を組外した際には、前記係止片に対するケース体の係止が解除されるので、球止め部材の開閉弁を送出路の出口部に延出させて、賞球の通出を阻止することができる。
　【０００８】
　【実施例】
　次に、本発明に係るパチンコ遊技機について、好適な実施例を挙げて、添付図面を参照しながら以下説明する。なお本実施例では、一般的なパチンコ機を例として、後述する裏側の機構セット盤における賞球貯留供給経路の下流端にユニット化された賞球払出し装置が着脱交換可能に設置された型式を主に示す。
　【０００９】
　そこで、先ず図１および図２に全体が略示されたパチンコ機Ｐについて要約説明する。すなわち縦向きに保持される外郭保持枠用の外枠１の開口前面に、搭載用の前枠２が着脱および開閉可能に組付けられている。そして、この前枠２の前後各部に遊技用構成部材として、ガラス扉４を有する窓枠３、上球皿６をセットした開閉板５、下球皿７および打球発射装置８等が夫々装備されていると共に、正面内部に遊技盤９が着脱可能にセットされている。また、前枠２の裏側に開閉または着脱可能に装備された機構セット盤１０においては、図２に略示するように、本体１１の中央部に開設された窓口１２の下部内側に、アウト球用の排出路１３と、セーフ球用の集合排出路１４等が区画形成されると共に、この集合排出路１４の下流部にセーフ球処理装置１５が組付けられている。また本体１１の上部から下方に亘り、賞球貯留供給経路１６を構成する、貯留タンク１７、整流樋１８および送出路１９が連設されてその下流端に賞球払出し装置２１が設置されており、この装置２１の下方に上球皿６側に連通する主排出路２９と、これより分岐連設された下球皿７に連通する副排出路３０が画成されている。なお、各路はカバーで覆蓋される。
　【００１０】
　前記セーフ球処理装置１５は、セーフ球１球ずつを停留検出して、賞球払出し終了後に解放排出処理する形態とされている。また前記賞球貯留供給経路１６では、２列路形式の整流樋１８と１列路形式の送出路１９との連絡部位に設置した整流案内部材２０により、賞球を２列から１列に整流案内し得るようになっている。これに合わせて前記賞球払出し装置２１は、前記送出路１９と主排出路２９との間の設置部に着脱可能に取着セットされるケース体２２に１列の球通路２３が形成されると共に、ピッチ回動に伴い賞球を１球ずつ受入れて排出し得る爪車状の球送り体２４と、球有確認用の上センサ２５および排出球確認用の下センサ２６と、この双方のセンサ２５，２６の設定検出条件に基いて通電制御されてストッパー２８によリ球送り体２４の拘束・解放の切換え制御をなし得る電磁ソレノイド２７を組込んで、全体がケース単位で構成された形態のものとされている。そして、この装置２１の通常の装備セット状態において、球通路２３の入口が送出路１９の出口に対して所要の連絡間隔で整合されて、所定数の賞球を通人してその最上球を入口上面に位置させている。
　【００１１】
　このような本実施例のパチンコ機にあって、前記機構セット盤１０における賞球貯留供給経路１６において、賞球払出し装置２１が着脱交換可能に位置決めセットされることに合わせて、同装置２１と送出路１９との連絡部位に球止め手段３１が設置されている。この手段３１は、賞球払出し装置２１の組付け・組外し状態に合わせて開閉変化されて賞球の通出可否を規制するためのもので、具体例として図３〜図８に示すように、送出路１９の出口裏側のボス部３３に固定支持されたボルト状の支杵３２と、この支杆３２に挿通支持されてバネ３５で常に前向き（閉鎖方向）に付勢された前後移動式の開閉弁３４とが主体とされている。そしてこの開閉弁３４が、装置２１のケース体２２で直接押込まれたまま後退した開放状態（図７参照）と、このケース体２２から解放されて前進した閉鎖状態（図８参照）とに変位し得るようになっている。なお開閉弁３４は、薄肉金属板よりＬ形状に成形されたものが例とされて、案内スリーブ３６を介して支杆３２に支持されており、その水平片部の所要位置にケース体２２に対する係止部３７が形成されている。そして、送出路１９の出口下方に成形された口３８内に挿入されて、閉鎖時にはその前端部を送出路１９の出口下面に
パチンコ
直径の
程度
　【００１２】
　なお、前記口３８の左右両側に前方に延出するガイド４７，４７が形成され、両ガイド４７，４７で開閉弁３４の下面を案内支持するよう構成している。また、開閉弁３４の閉鎖時において賞球から受ける荷重をガイド４７，４７で支持することにより、開閉弁３４の変形を防止し得るようになっている。
　【００１３】
　【実施例の作用】
　前述のように構成された本実施例のパチンコ機では、遊技店内の「島」とも呼ばれている設置枠台（図示しない）に設置されると共に、裏側の機構セット盤１０における賞球貯留供給経路１６の賞球払出し装置２１内に至って賞球が通入貯留されて遊技に供された状態において、パチンコゲーム中に発生した夫々のセーフ球が、セーフ球処理装置１５により１球ずつ停留検出されることに応答して、賞球払出し装置２１が１回単位で作動されて所定数の賞球を払出し得る。そしてゲーム中において、何らかの原因により賞球払出し装置２１が異常（誤動作，故障）を来して本来の正常な払出し作動を行ない得なくなった場合等には、管理者による同装置２１の交換や取外し点検が求められる。
　【００１４】
　そこで、賞球払出し装置２１の取外し点検等にあっては、前述した球止め手段３１の連動的な閉鎖作用により、送出路１９を閉鎖して賞球貯留供給経路１６内の賞球を通出阻止し得る。すなわち、カバー４０を外した後ビス等を弛めて装置２１がケース２２単位で取外された場合、球止め手段３１の開閉弁３４が、その係止部３７をケース体２２から解放されるやいなや即座にバネ３５の付勢力により水平に前出して、その前端部を送出路１９の出口下方の所定位置に延出させた閉鎖位置に保持されて、最下端の賞球を直接受止める。この球止め状態を図８を参照して具体的に観ると、取外される装置２１のケース体２２の上面（球通路２３の開口面より内側面）が一時的に送出路１９の出口下面に対する蓋面を呈し、またこのケース体２２から解放された開閉弁３４が、その前端部をケース体２２の上面と最下端の賞球の下面との隙間の所定位置に滑込むように延出して球止めすることになる。これにより最下端から上流に至る賞球には、開閉弁３４の割込みに伴う上方への変位力が作用することがなくなり、経路内の賞球全体が本来の通入収容状態のまま停留されて、主，副排出路２９，３０への通出が阻止される。
　【００１５】
　そうして、点検終了または新旧交換された賞球払出し装置２１の組付けセットにあっては、前記球止め手段３１の連動的な開放作用により、送出路１９を自動的に開放して賞球を通出可能にし得る。すなわち、装置２１がケース単位で元位置に整合されてビス止めセットされる過程において、球止め手段３１の開閉弁３４が、その係止部３７をケース体２２内側に係止した以降押込まれてバネ３５に抗して後退し、その前端部を送出路１９の出口下方から退出させた開放位置に保持される。そしてこの開放作用において、図７から理解できるように、開閉弁３４は、送出路１９の出口と装置２１の球通路２３の入口とが整合連通されるまでの間、最下端の賞球を停止（拘束）し続け、開放位置に戻った時点で賞球を解放することになる。これにより、送出路１９と組付けセットされた装置２１の球通路２３との連通状態において、所定数分の賞球が球通路２３内に通人されて双方の路１９，２３内の賞球同志が互いに上下当接した状態で収容保持される。
　【００１６】
　このように本実施例のパチンコ機では、賞球貯留供給経路１６における賞球払出し装置２１の着脱に対して、前記球止め手段３１が連動的に開放，閉鎖の状態に変化されて、送出路１９の出口を素早く開閉すると共に賞球の通出可否を規制し得る。これにより装置２１の着脱点検においては、貯留賞球の放出を気付かうことなく気楽に作業をすることができ、また組付けセット状態ではケース体２２の球通路２３内に賞球を通人し得る。なお組外された装置２１内の賞球については、上下逆さにして球通路２３の入口側から何なく抜出し得るので、これを球タンク１７等に戻すことにより、賞球貯留供給経路１６内の賞球を１球たりとも放出減少させずに装置２１の取外し前の貯留定数量のままに保持し得る。
　【００１７】
　本発明の対象とするパチンコ遊技機については、遊技媒体と賞品媒体に共通なパチンコ球を使用する各種遊技機にあって、裏側の賞球貯留供給経路における賞球払出し装置が着脱可能にセットされるタイプのものが好適例とされる。そして、このようなパチンコ遊技機に実施される球止め手段については、前述の実施例だけに制限されず他例も推奨される。例えば図９，図１０に例示するような連動開閉形式として、板バネ材等より成形された球止め部材４１に支持片４２、開閉弁４３および係止片４４を形成し、支持片４２の下端を機構セット盤１０の本体１１のボス部４５にビス止めしたもとで、係止片４４が装置２１のケース体２２に係止または解放されることに伴い、開閉弁４３が本体１１の挿通口４６から送出路１９の出口下方に対して出没可能にしたタイプである。なおこの他には、図示しないが、手動操作形態の球止め部材の操作部を利用して開閉弁を送出路１９の出口下方に対して開閉可能にしたタイプや、球止め部材の開放と閉鎖との何れか一方を手動とし、他方を装置２１の着脱に連動させるタイプであってもよい。
　【００１８】
　【発明の効果】
　以上説明した如く、本発明に係るパチンコ遊技機によれば、機裏側の賞球貯留供給経路の送出路と賞球払出し装置の球通路との対応部位に板バネ材より成形される球止め部材を装備して、該賞球払出し装置の着脱に対して球止め部材を開放，閉鎖の状態に変化し得るようにしたので、送出路の出口部を素早く開閉して賞球の通出可否を規制し得る。これにより賞球払出し装置の着脱，点検においては、組外し時には賞球貯留供給経路内の賞球の放出を阻止し、また組付けセット状態では該賞球払出し装置内の球通路内へ賞球を自動的に案内し得るので、作業効率を高めることができる。また遊技店においては、賞球払出し装置の着脱点検に際して貯留賞球の放出を無くすことができるので、遊技機の稼動状態を正確に管理し得、経営管理の向上が可能となる等の利点を有する。
【図面の簡単な説明】
　【図１】
　本発明の実施例に係るパチンコ機を略示する正面図である。
　【図２】
　実施例に係るパチンコ機を略示する背面図である。
　【図３】
　賞球貯留供給経路における球止め手段の実施態様を略示する一部破断した外側正面図である。
　【図４】
　賞球貯留供給経路における球止め手段の実施態様を略示する一部破断した内側背面図である。
　【図５】
　図３中Ｖ−Ｖ線に基く平断面図である。
　【図６】
　球止め手段の主要部を略示する斜視図である。
　【図７】
　球止め手段の開放（賞球通出可能）状態を略示する側断面図である。
　【図８】
　球止め手段の閉鎖（賞球通出不能）状態を略示する側断面図である。
　【図９】
　別実施例に係る球止め手段の開放（賞球通出可能）状態を略示する側断面図である。
　【図１０】
　別実施例に係る球止め手段の閉鎖（賞球通出不能）状態を略示する側断面図である。
　【符号の説明】
　２　前枠
　１０　機構セット盤
　１１　本体
　１６　賞球貯留供給経路
　１９　送出路
　２１　賞球払出し装置
　２２　ケース体
　２３　球通路
　４１　球止め部材
　４２　支持片
　４３　開閉弁
　４４　係止片
　４６　挿通口